(57)【要約】      （修正有）【課題】簡単な構造で上蓋片と側面が隙間なく組み立てられ、確実に収容物を覆って包装する包装箱を提供する。【解決手段】互いに平行に連接された側面１４，１６等と、側面１４に対向する側面に折罫線を介して連接され開口部を閉鎖する上蓋片を備える。上蓋片の先端に設けられた差込片と、上蓋片が設けられた側面に隣接する一対の側面１６等に、それぞれ湾曲折線を介して連接した上フラップを備える。湾曲折線は、側面１６等側に突出て湾曲した側面湾曲折線４２ａと、上フラップ側に位置して突出するように湾曲した上フラップ湾曲折線を備える。箱体形成片の組立状態で、上フラップはフラップ湾曲折線４２ａの形状に沿って曲げられて、中央部分が緩やかに上方に凸となるように膨らむ。上蓋片は上フラップの表面に重ねられ、隙間なく閉じられる。【選択図】図１
0003177114.tif 000002
【実用新案登録請求の範囲】
【請求項１】
一枚のブランクシートから一体的に打ち抜かれた箱体形成片から成り、前記箱体形成片には、互いに平行に連接された側面と、前記側面同士を糊付けして筒体に組み立てる糊付片と、前記側面の一つに折罫線を介して連接され前記側面の筒体の開口部を閉鎖する上蓋片と、前記上蓋片が設けられた側面に隣接する一対の側面にそれぞれ連接して設けられた上フラップが設けられ、
前記上フラップは、前記上フラップ側に膨らむように湾曲した上フラップ湾曲折線を介して前記側面に連接し、
前記上フラップ湾曲折線の両端部は、前記側面の開口縁部の角部に位置し、前記上フラップが前記側面に対して約直角に折り曲げ可能な円弧で形成され、
前記箱体形成片の組立状態では、前記上フラップは前記上フラップ湾曲折線の形状に沿って曲げられて中央部分が緩やかに上方に凸となるように膨らみ、前記上蓋片は前記上フラップの表面に重ねられ、上方に膨らむ前記上フラップに当接し隙間なく閉じられることを特徴とする包装箱。
【請求項２】
前記上フラップが設けられた側面には、前記側面側に膨らむように湾曲した側面湾曲折線が形成された請求項１記載の包装箱。
【請求項３】
前記側面湾曲折線と前記上フラップ湾曲折線の間は凸レンズ形の傾斜面部となり、前記上蓋片の一対の側縁部には、前記傾斜面部と同形の折返し片が折返し片用折線を介して連接して設けられ、前記包装箱の組立状態で、前記傾斜面部は前記側面と前記上フラップに対して交差し、前記上蓋片の前記折返し片は前記折返し片用折線で折り曲げられて前記傾斜面部に重ねられる請求項２記載の包装箱。
【請求項４】
前記側面湾曲折線と前記上フラップ湾曲折線の間は凸レンズ形の傾斜面部となり、前記上蓋片の一対の側縁部は、前記上フラップ湾曲折線と同形の形状にカットされ、前記包装箱の組立状態で、前記上蓋片の一対の側縁部は前記側面湾曲折線に一致する請求項１記載の包装箱。
【考案の詳細な説明】
【技術分野】
【０００１】
この考案は、上蓋片を閉じて開口部を閉鎖する包装箱に関する。
【背景技術】
【０００２】
従来、１枚のブランクシートから一体的に打ち抜かれた箱体形成片からなる包装箱には、互いに平行に連接された側面と、前記側面から連なって箱体上面の開口部を閉鎖する上蓋片と、上蓋片に連接し対向する前記側面の内側に差し込んで閉鎖する差込片が設けられたものがある。
【０００３】
例えば、特許文献１に開示されている包装箱は、４個の側面が筒状に組み立てられ、一方の端部の開口部は、片部が組み合わされて形成された底部で閉鎖され、他方の開口部は一枚の蓋板部で閉鎖される。蓋板部は１個の側面の開口縁部に折線を介して取り付けられ、蓋板部の先端には、折線で区切られた折曲片が設けられている。この包装箱は、折曲片を折線でほぼ９０°に折り曲げて対向する側面の内側に差し込んで蓋板部を係止し、開口部を閉鎖する。
【先行技術文献】
【特許文献】
【０００４】
【特許文献１】特開２０１１−１１１２０４号公報
【考案の概要】
【考案が解決しようとする課題】
【０００５】
上記背景技術の場合、包装箱は収容物を収容して保護するとともに、加工しやすい硬さの紙製等のブランクシートで作られているため、箱体形成片を折り曲げて組み立てた状態では、蓋板部が弾性力で中央部分が上方に湾曲する反面、包装箱の開口縁部は直線で形成され、湾曲した蓋板部との間に隙間が生じるという問題があった。このため、その隙間から異物が混入することがあり、確実に内容物を被覆して包装することができなかった。
【０００６】
この考案は、上記背景技術の問題点に鑑みてなされたものであり、簡単な構造で上蓋片と側面が隙間なく組み立てられ、確実に収容物を覆って包装する包装箱を提供することを目的とする。
【課題を解決するための手段】
【０００７】
本考案は、一枚のブランクシートから一体的に打ち抜かれた箱体形成片から成り、前記箱体形成片には、互いに平行に連接された側面と、前記側面同士を糊付けして筒体に組み立てる糊付片と、前記側面の一つに折罫線を介して連接され前記側面の筒体の開口部を閉鎖する上蓋片と、前記上蓋片が設けられた側面に隣接する一対の側面にそれぞれ連接して設けられた上フラップが設けられ、前記上フラップは、前記上フラップ側に膨らむように湾曲した上フラップ湾曲折線を介して前記側面に連接し、前記上フラップ湾曲折線の両端部は、前記側面の開口縁部の角部に位置し、前記上フラップが前記側面に対して約直角に折り曲げ可能な円弧で形成され、前記箱体形成片の組立状態では、前記上フラップは前記上フラップ湾曲折線の形状に沿って曲げられて中央部分が緩やかに上方に凸となるように膨らみ、前記上蓋片は前記上フラップの表面に重ねられ、上方に膨らむ前記上フラップに当接し隙間なく閉じられる包装箱である。
【０００８】
前記上フラップが設けられた側面には、前記側面側に膨らむように湾曲した側面湾曲折線が形成されているものである。
【０００９】
また、前記側面湾曲折線と前記上フラップ湾曲折線の間は凸レンズ形の傾斜面部となり、前記上蓋片の一対の側縁部には、前記傾斜面部と同形の折返し片が折返し片用折線を介して連接して設けられ、前記包装箱の組立状態で、前記傾斜面部は前記側面と前記上フラップに対して交差し、前記上蓋片の前記折返し片は前記折返し片用折線で折り曲げられて前記傾斜面部に重ねられる。
【００１０】
また、前記側面湾曲折線と前記上フラップ湾曲折線の間は凸レンズ形の傾斜面部となり、前記上蓋片の一対の側縁部は、前記上フラップ湾曲折線と同形の形状にカットされ、前記包装箱の組立状態で、前記上蓋片の一対の側縁部は前記側面湾曲折線に一致する。
【考案の効果】
【００１１】
本考案の包装箱は、簡単な構造で上蓋片と側面が隙間なく組み立てられ、確実に内容物を被覆し包装することができるものである。これにより、異物の混入を防ぎ、内容物をきれいな状態に保つことができる。
【図面の簡単な説明】
【００１２】
【図１】この考案の第一実施形態の包装箱の斜視図である。
【図２】この考案の第一実施形態の包装箱の展開図である。
【図３】この考案の第一実施形態の包装箱の上蓋片を開いた状態の側面図である。
【図４】この考案の第一実施形態の包装箱の部分拡大縦断面図である。
【図５】この考案の第二実施形態の包装箱の斜視図である。
【図６】この考案の第三実施形態の包装箱の展開図である。
【図７】この考案の第三実施形態の包装箱の側面図である。
【考案を実施するための形態】
【００１３】
以下、この考案の実施形態について図面に基づいて説明する。図１〜図４はこの考案の第一実施形態を示すもので、この実施形態の包装箱１０は、紙製等の一枚のブランクシートを打ち抜いて形成された箱体形成片１２を組み立てて設けられている。
【００１４】
図２は、箱体形成片１２を表面から見た展開図であり、箱体形成片１２は、側面１４，１６，１８，２０が、互いに平行に連接して形成されている。側面１４，１６，１８，２０は、互いにほぼ同じ形状であり、連接している幅方向が連接方向の長さよりも少し長い矩形である。側面１４の側縁部には、包装箱１０の組立状態で側面２０の裏面に糊付けされる糊付片２２が設けられている。そして、糊付片２２、側面１４，１６，１８，２０は、各々折罫線２４，２６，２８，３０で区切られている。
【００１５】
側面１４において、側面どうしの連接方向に対して直角な方向の一方の端部１４ａは、包装箱１０の組立状態で上方に開口する開口縁部となる。端部１４ａと反対側の端部には、底部を形成する第１底蓋片３２が折罫線３４で区切られて設けられている。第１底蓋片３２は、折罫線３４を一辺とする三角状に形成され、折罫線２６に連続する辺には、略三角形の底部糊付片３６が折罫線３８で区切られて設けられている。
【００１６】
側面１６の、側面１４の端部１４ａに隣接する端部には、台形状の上フラップ４０が湾曲折線４２で区切られて設けられている。湾曲折線４２は互いに離れる方へ膨らむ２本の円弧の曲線で設けられ、側面１６側に位置し側面１６側に突出するように膨らむ側面湾曲折線４２ａと、上フラップ４０側に位置し上フラップ４０側に突出するように膨らむ上フラップ湾曲折線４２ｂが設けられている。側面湾曲折線４２ａと上フラップ湾曲折線４２ｂの両端部は、側面１４の端部１４ａの延長線上に位置し折罫線２６，２８とそれぞれ交差する角部に位置し、円弧の半径は上フラップ４０が側面１６に対して約直角に折り曲げ可能なゆるやかなものである。湾曲折線４２の側面湾曲折線４２ａと上フラップ湾曲折線４２ｂの間の部分は、凸レンズ形の傾斜面部４３を形成する。側面１６の、湾曲折線４２と反対側の端部には、底部を形成する台形状の底フラップ４４が折罫線４６で区切られて設けられている。
【００１７】
側面１８の、側面１６の湾曲折線４２に隣接する端部には、矩形の上蓋片４８が折罫線５０で区切られて設けられている。上蓋片４８の、折罫線５０に対して直角に位置する一対の側縁部には、傾斜面部４３と同形の凸レンズ形の折返し片５２が折返し片用折線５４で区切られて設けられている。折返し片用折線５４は、包装箱１０の組立状態で上フラップ４０，６８の上フラップ湾曲折線４２ｂ，７０ｂに一致し、折返し片５２は、折返し片用折線５４を上フラップ湾曲折線４２ｂ，７０ｂに沿って折ると傾斜面部４３，７２に重ねられるものである。このとき折返し片５２の側縁部は、上フラップ湾曲折線４２ｂ，７０ｂに一致する。上蓋片４８の、折罫線５０の反対側の端部には、さらに差込片５６が折罫線５８で区切られて設けられている。
【００１８】
側面１８の、折罫線５０と反対側の端部には、底部を形成する第２底蓋片６０が折罫線６２で区切られて設けられている。第２底蓋片６０は、折罫線６２を一辺とする三角状に形成され、折罫線３０に連続する辺には、略三角形の底部糊付片６４が折罫線６６で区切られて設けられている。
【００１９】
側面２０の、側面１８の折罫線５０に隣接する端部には、台形状の上フラップ６８が湾曲折線７０で区切られて設けられている。湾曲折線７０は互いに離れる方へ膨らむ２本の円弧の曲線で設けられ、側面２０側に位置し側面２０側に突出するように膨らむ側面湾曲折線７０ａと、上フラップ６８側に位置し上フラップ６８側に突出するように膨らむ上フラップ湾曲折線７０ｂが設けられている。側面湾曲折線７０ａと上フラップ湾曲折線７０ｂの両端部は、側面１８の折罫線５０の延長線上に位置し折罫線３０と側面２０の側縁部とそれぞれ交差する角部に位置し、円弧の半径は上フラップ６８が側面２０に対して約直角に折り曲げ可能なゆるやかなものである。湾曲折線７０の側面湾曲折線７０ａと上フラップ湾曲折線７０ｂの間の部分は、凸レンズ形の傾斜面部７２を形成する。側面２０の、湾曲折線７０と反対側の端部には、底部を形成する台形状の底フラップ７４が折罫線７６で区切られて設けられている。
【００２０】
次に、この実施形態の包装箱１０の組立方法の一例について説明する。なお、ここで図２が包装箱１０の箱体形成片１２の表面を見たものであり、箱体形成片１２の表面が凸になる折り方を正折り、そして裏面が凸になる折り方を逆折りと称する。
【００２１】
まず、折罫線３４，４６，６２，７６を正折りし、折罫線３８，６６を逆折りし、底部糊付片３６，６４の裏面に糊７８，８０を塗布する。そして、糊付片２２の表面に糊８２を塗布して、折罫線２６を正折りし、折罫線３０を正折りする。これにより、糊付片２２の表面は糊８２により側面２０の裏面に糊付けされ、底部糊付片３６の裏面は糊７８により底フラップ４４の表面に、底部糊付片６４の裏面は糊８０により底フラップ７４の表面に糊付けされる。これにより折り畳み状態となり、この状態で出荷される。
【００２２】
次に、収容物を収容し包装する工場等において、折罫線２４，２６，２８，３０を各々９０°に正折りして四角形の箱体にする。このとき、第１底蓋片３２の底部糊付片３６は底フラップ４４に、第２底蓋片６０の底部糊付片６４は底フラップ７４に糊付けされているため、二つ折りされていた折罫線３４，４６，６２，７６は自動的に引き起こされてほぼ９０°に開き、底部が形成される。第１底蓋片３２と第２底蓋片６０は互いにロックされ、箱体の底部の形状を保つ。
【００２３】
次に、組み立てられた側面１４，１６，１８，２０と第１，２底蓋片３２，６０及び底フラップ４４，７４による底部から成る箱体の内側に商品を入れ、湾曲折線４２で上フラップ４０を９０°に正折りする。このとき、図３に示すように、湾曲折線４２の側面湾曲折線４２ａと上フラップ湾曲折線４２ｂが鈍角に折り曲げられ、上フラップ４０は上フラップ湾曲折線４２ｂの形状に沿って曲げられて中央部分が緩やかに上方に凸となるように膨らむ。側面湾曲折線４２ａと上フラップ湾曲折線４２ｂの間の傾斜面部４３は、側面１６と上フラップ４０に対して交差して位置している。同様に湾曲折線７０で上フラップ６８を９０°に正折りする。このとき、湾曲折線７０の側面湾曲折線７０ａと上フラップ湾曲折線７０ｂが鈍角に折り曲げられ、上フラップ６８は上フラップ湾曲折線７０ｂの形状に沿って曲げられて中央部分が緩やかに上方に凸となるように膨らむ。傾斜面部７２は、側面２０と上フラップ６８に対して交差して位置している。このときは、図３に示すように、一対の折返し片５２は上蓋片４８と同一面上にある。
【００２４】
次に、折罫線５０で上蓋片４８を９０°に正折りし、差込片５６を折罫線５８で正折りし、差込片５６を側面１４の裏面側に差し込んで係止し、上面が形成される。上蓋片４８の裏面は、上方に膨らむ上フラップ４０，６８に当接し隙間なく閉じられる。さらに、上蓋片４８の一対の折返し片５２を、折返し片用折線５４で折り曲げて折返し片５２を図４に示すように傾斜面部４３，７２の外側に重ね、確実に開口部を閉鎖する。
【００２５】
この実施形態の包装箱１０によれば、簡単な構造で上蓋片４８と側面１６，２０に隙間なく組み立てることができる。上蓋片４８の裏面は、上方に膨らむ上フラップ４０，６８に当接し隙間なく閉じられ、さらに上蓋片４８の一対の折返し片５２を折返し片湾曲折線５４で折り曲げて、折返し片５２を図４に示すように傾斜面部４３，７２の外側に重ね、確実に閉鎖する。これにより内容物である商品を確実に被覆した状態で包装することができ、異物の混入を防ぎ、商品をきれいな状態に保つことができる。しかも、隙間がないことからきれいな外観となり、また凸レンズ形の折返し片５２が設けられているためデザインの印象を強くすることができる。
【００２６】
次にこの考案の第二実施形態について図５に基づいて説明する。なお、ここで、上記実施形態と同様の部材は同様の符号を付して説明を省略する。この実施形態の包装箱８４は、側面１８の端部に、矩形の上蓋片８６が折罫線８８で区切られて設けられている。上蓋片８６の、折罫線８８に対して直角に位置する一対の側縁部８６ａは、上蓋片８６の内側に膨らむ円弧形状にカットされ、上フラップ４０の湾曲折線４２の上フラップ湾曲折線４２ｂと、上フラップ６８の湾曲折線７０の上フラップ湾曲折線７０ｂとほぼ同形に形成されている。従って、側縁部８６ａは、包装箱８４の組立状態で、上フラップ４０，６８の上フラップ湾曲折線４２ｂ，７０ｂに一致するものである。上蓋片８６の、折罫線８８の反対側の端部には、さらに差込片が折罫線で区切られて設けられている。
【００２７】
この実施形態の包装箱８４は、第一実施形態と同様の組立方法であり、同様の効果を有するものである。上蓋片８６の側縁部８６ａは、上フラップ湾曲折線４２ｂ，７０ｂに一致するため、コンパクトですっきりとしたデザインとなる。
【００２８】
次にこの考案の第三実施形態について図６、図７に基づいて説明する。なお、ここで、上記実施形態と同様の部材は同様の符号を付して説明を省略する。この実施形態の包装箱９０は、側面１４の端部に、矩形の上蓋片９２が折罫線９４で区切られて設けられ、側面１８の端部には、矩形の上内蓋片９６が折罫線９８で区切られて設けられている。側面１６，２０には、上フラップ４０，６８との境界に、湾曲折線の上フラップ湾曲折線４２ｂ，７２ｂのみが形成されている。
【００２９】
上蓋片９２には、ジッパー線１００が設けられ、折罫線９４の近傍中央部には、再封用の差込部１０２が設けられている。上蓋片９２と対面する上内蓋片９６には、差込部１０２に対応する位置に差込片１０４が突設され、開封後に、上内蓋片９６による開封を可能にしている。
【００３０】
この実施形態の包装箱９０によっても、第一実施形態と同様に、上フラップ４０，６８が上方に湾曲して折り曲げられ、上内蓋片９６及び上蓋片９２の湾曲に沿って位置し、埃やゴミ等の侵入を効果的に防止する。
【００３１】
なお、この考案の包装箱は、上記各実施の形態に限定されるものではなく、各側面の大きさや形状、底部の構造等、自由に変更可能である。上蓋片の差込片が係止される側面には、上蓋片を係止し開封後に再封可能なロック片等が設けられてもよい。
【符号の説明】
【００３２】
１０  包装箱
１２  箱体形成片
１４，１６，１８，２０  側面
２２  糊付片
４０，６８  上フラップ
４２，７０  湾曲折線
４２ａ，７０ａ  側面湾曲折線
４２ｂ，７０ｂ  上フラップ湾曲折線
４８  上蓋片
５２  折返し片
５４  折返し片用折線
【図１】
0003177114.tif 000003
【図２】
0003177114.tif 000004
【図３】
0003177114.tif 000005
【図４】
0003177114.tif 000006
【図５】
0003177114.tif 000007
【図６】
0003177114.tif 000008
【図７】
0003177114.tif 000009